(57)【要約】【課題】使用者の異なる需要に応じてスプリング入りマットレスのソフトネスを容易に調整することができ、好ましい適用性を有するソフトネスが調整可能なスプリング入りマットレスを提供する。【解決手段】トップ層と、ボトム層と、複数のスプリングと複数のソフトネス調整ユニットを含むソフトネスが調整可能なスプリング入りマットレスである。トップ層とボトム層との間に収納空間が形成され、前記スプリング及び前記ソフトネス調整ユニットは、収納空間内に設けられ、前記ソフトネス調整ユニットが間隔を置いて設けられ、前記ソフトネス調整ユニットは、前記スプリングの弾性を調整するように、それぞれ前記スプリングに当接する。従って、使用者の異なる需要に応じてスプリング入りマットレスのソフトネスを調整することができ、スプリング入りマットレスが好ましい適用性を有する。【選択図】図２
2020089625.tif 000002
【特許請求の範囲】
【請求項１】
トップ層と、
前記トップ層との間に収納空間を形成するように、前記トップ層の下方に前記トップ層と間隔を置いて設けられるボトム層と、
前記トップ層と前記ボトム層との間に位置するように前記収納空間内に設けられると共に、互いに間隔を置いて設けられ、それぞれの一端が前記トップ層又は前記ボトム層に当接する複数のスプリングと、
前記トップ層と前記ボトム層との間に位置するように前記収納空間内に設けられると共に、互いに間隔を置いて設けられ、前記スプリングの弾性を調整するためにそれぞれが前記スプリングに当接される複数のソフトネス調整ユニットと、を含む、
ことを特徴とする、ソフトネスが調整可能なスプリング入りマットレス。
【請求項２】
前記複数のソフトネス調整ユニットは、エアバッグを含み、
前記複数のソフトネス調整ユニットは、前記複数のソフトネス調整ユニットに対して充気及び放気の操作を行うエアポンプに接続されることを特徴とする、請求項１に記載のソフトネスが調整可能なスプリング入りマットレス。
【請求項３】
前記複数のソフトネス調整ユニットは、制御ユニットに接続され前記制御ユニットを介して充気及び放気の操作を行うことができることを特徴とする、請求項２に記載のソフトネスが調整可能なスプリング入りマットレス。
【請求項４】
前記複数のスプリングは、全て又は部分的に前記ソフトネス調整ユニットと対応するように設けられることを特徴とする、請求項１に記載のソフトネスが調整可能なスプリング入りマットレス。
【請求項５】
前記複数のソフトネス調整ユニットの一端は、前記複数のスプリングの他端にそれぞれ当接し、前記複数のソフトネス調整ユニットの他端は、前記ボトム層又は前記トップ層に当接することを特徴とする、請求項１に記載のソフトネスが調整可能なスプリング入りマットレス。
【請求項６】
互いに当接している前記スプリングと前記ソフトネス調整ユニットとの外部に、伸縮筒が覆うように配設され、
前記伸縮筒は、上端が前記トップ層に接続される内筒と、前記内筒の外を覆うよう配設されて下端が前記ボトム層に接続される外筒とを含むことを特徴とする、請求項１に記載のソフトネスが調整可能なスプリング入りマットレス。
【請求項７】
前記内筒の下端に、前記内筒の外壁から突出している第１の位置決め部が設けられ、前記外筒の上端に、前記外筒の内壁から突出している第２の位置決め部が設けられ、前記内筒及び前記外筒がプリセットの長さまでに伸びる場合に、前記第１の位置決め部と前記第２の位置決め部とが互いに当接していることを特徴とする、請求項６に記載のソフトネスが調整可能なスプリング入りマットレス。
【請求項８】
前記トップ層と前記ボトム層との間に位置し、駆動装置に接続される可動部を更に含み、
前記可動部は、前記駆動装置によって異なる立ち上がり角度に調整するように付勢されることを特徴とする、請求項１に記載のソフトネスが調整可能なスプリング入りマットレス。
【請求項９】
前記複数のソフトネス調整ユニットは、それぞれ前記複数のスプリングの下方又は上方に接続されることを特徴とする、請求項１に記載のソフトネスが調整可能なスプリング入りマットレス。
【発明の詳細な説明】
【技術分野】
【０００１】
本発明は、ソフトネスが調整可能なスプリング入りマットレスに関し、特に、使用者の異なる需要に応じてソフトネスを調整することができるスプリング入りマットレスに関する。
【背景技術】
【０００２】
従来のスプリング入りマットレスの構造は、主に布製のパッド本体に複数のスプリングが被覆され、前記スプリングによる弾力によって、パッド本体に寝ている時に、使用者により快適な睡眠品質を提供するように、柔らかで快適な感触を有する。ただ、従来のスプリング入りマットレスの構造は、ソフトネスが所定の形態であり、需要に応じて調整できない。しかしながら、異なる使用者について、ソフトネス上の異なる需要があり、例えば、年齢と性別が異なるに応じて、スプリング入りマットレスのソフトネスに対して異なる需要があるが、スプリング入りマットレスが購入された後に、異なるソフトネスを選択できず、使用者に大きな不都合をもたらしてしまう。
【０００３】
上記のことをまとめると、本発明者は、上記の欠陥が改善できると考え、鋭意検討して学理的応用を組み合わせて、最後に、設計が合理的で且つ上記欠陥を効果的に改善する本発明を提出する。
【発明の概要】
【発明が解決しようとする課題】
【０００４】
本発明が解決しようとする技術問題は、使用者の異なる需要に応じてスプリング入りマットレスのソフトネスを容易に調整することができ、好ましい適用性を有するソフトネスが調整可能なスプリング入りマットレスを提供することである。
【課題を解決するための手段】
【０００５】
上記の技術問題を解決するために、本発明は、間隔を置いて設けられて間に収納空間を形成するトップ層と前記トップ層の下方に設けられるボトム層と、収納空間内に設けられて、前記トップ層と前記ボトム層との間に位置して、間隔を置いて設けられて、一端が前記トップ層又は前記ボトム層に当接する複数のスプリングと、収納空間内に設けられ、前記トップ層と前記ボトム層との間に位置し、間隔を置いて設けられ、前記スプリングの弾性を調整するようにそれぞれ前記スプリングに当接する複数のソフトネス調整ユニットとを含む、ソフトネスが調整可能なスプリング入りマットレスを提供することである。
【０００６】
好ましくは、前記ソフトネス調整ユニットがエアバッグを含み、前記ソフトネス調整ユニットがエアポンプに接続される。
【０００７】
好ましくは、前記ソフトネス調整ユニットが制御ユニットに接続され、前記ソフトネス調整ユニットが前記制御ユニットによって充気及び放気の操作を行うことができる。
【０００８】
本発明の有益な効果は、以下の通りである。本発明が前記ソフトネス調整ユニットによって前記スプリングに伸縮して当接し、前記ソフトネス調整ユニットが伸びる場合に、前記スプリングの弾性を小さくして、対向するスプリング入りマットレスが硬くなるように、前記スプリングを圧縮することができる。前記ソフトネス調整ユニットが縮む場合に、前記スプリングの弾性を多くして、対向するスプリング入りマットレスを柔らかくするように、前記スプリングの圧力を解放することができる。従って、本発明は、使用者の異なる需要に応じてスプリング入りマットレスのソフトネスを容易に調整することができ、スプリング入りマットレスが好ましい適用性を有する。
【０００９】
本発明が所定の目的を達成するために採られる技術、方法及び効果がより一層理解されるように、以下の本発明に関する詳細な説明、図面を参照する。本発明の目的と特徴は、これにより深くかつ具体的に理解できるが、添付図面は参照と説明用のみに提供されており、本発明を限定するためのものではない。
【図面の簡単な説明】
【００１０】
【図１】本発明によるソフトネスが調整可能なスプリング入りマットレスの平面模式図である。
【図２】図１のII - II断面図である。
【図３】本発明によるソフトネスが調整可能なスプリング入りマットレスの別の使用状態の断面図である。
【図４】図２のIV部分の詳細図である。
【図５】本発明によるソフトネス調整ユニットの別の使用状態の断面図である。
【図６】本発明によるソフトネス調整ユニットの別の実施例の断面図である。
【図７】本発明によるソフトネス調整ユニットの制御方式の機能ブロック模式図である。
【発明を実施するための形態】
【００１１】
［第１の実施例］
図１から図３を参照する。それは、本発明の好ましい実施例であり、説明すべきなのは、本実施例に対応している図面に言及される数量と外観は、その内容の理解を容易にするように、本発明の実施態様を具体的に説明するに過ぎず、本発明の保護範囲を限定するためのものではない。
【００１２】
本発明は、トップ層１と、ボトム層２と、複数のスプリング３と、複数のソフトネス調整ユニット４とを含むソフトネスが調整可能なスプリング入りマットレスを提供する。前記スプリング入りマットレスの外部には、それを被覆する適切な被覆体(未図示)を設けてもよく、前記被覆体が従来の技術であるため、説明を省略する。
【００１３】
前記トップ層１及びボトム層２は、布団等のシート体であってもよく、ボトム層２は、トップ層１の下方に設けられ、トップ層１及びボトム層２は、トップ層１とボトム層２との間に前記スプリング３及び前記ソフトネス調整ユニット４を収納するための収納空間２１を形成するように、間隔を置いて設けられる。
【００１４】
前記スプリング３は押さえばねであってもよく、スプリング３は、焼付塗装又は黒染めの方式によってスプリング３の表面に酸化防止層を被覆する防錆処理を行うこともでき、スプリング３の防錆処理することは従来の技術であるため、説明を省略する。前記スプリング３は、収納空間２１内に設けられ、前記スプリング３は、トップ層１とボトム層２との間に位置し、前記スプリング３が間隔を置いて設けられ、前記スプリング３が設置される数量は制限されることなく、実際の需要に応じて適切に増減することができる。前記スプリング３の一端は、トップ層１又はボトム層２に当接する。本実施例においては、前記スプリング３の一端(上端)は前記トップ層１に当接する。
【００１５】
図４及び図５を併せて参照する。前記ソフトネス調整ユニット４は、エアバッグ、エアシリンダー、油圧シリンダー又はモータスクリュー等の各種の自動的又は手動的の調整装置を含んでもよく。本実施例においては、前記ソフトネス調整ユニット４は、エアバッグ４１を含み、前記ソフトネス調整ユニット４(エアバッグ４１)は、制御ユニット９によって前記ソフトネス調整ユニット４に充気(充填)及び放気の操作を行うように、管路(未図示)によってエアポンプ８(図７に示される)に接続されてもよい。本実施例のエアバッグ４１は低圧で充気し、安全性が高い。本発明の別の実施例においては、エアポンプ８は手動方式であってもよく、手動で充気及び放気の操作を行うことができる。前記ソフトネス調整ユニット４は収納空間２１内に設けられ、前記ソフトネス調整ユニット４はトップ層１とボトム層２との間に位置し、前記ソフトネス調整ユニット４は間隔を置いて設けられ、前記ソフトネス調整ユニット４の設置される数量は制限されず、実際の需要に応じて適切に増減することができる、スプリング３全体がソフトネス調整ユニット４に対応して設けられてもよく、スプリング３の一部がソフトネス調整ユニット４に対応して設けられてもよい。
【００１６】
前記ソフトネス調整ユニット４がそれぞれ前記スプリング３の下方又は上方に設けられ、前記ソフトネス調整ユニット４は、それぞれ前記スプリング３に当接する。前記ソフトネス調整ユニット４の一端は、それぞれ前記スプリング３の他端に当接してもよく、前記ソフトネス調整ユニット４の他端は、ボトム層２又はトップ層１に当接してもよい。本実施例においては、前記ソフトネス調整ユニット４は、それぞれスプリング３の下方に設けられ、前記ソフトネス調整ユニット４の一端(上端)は、それぞれ前記スプリング３の下端に当接し、前記ソフトネス調整ユニット４の他端(下端)は、ボトム層２に当接する。
【００１７】
本実施例においては、更に、当接しているスプリング３及びソフトネス調整ユニット４の外部に伸縮筒５が覆うよう配設され、前記伸縮筒５は、内筒５１及び外筒５２を含み、内筒５１及び外筒５２が互いにかしめるように外筒５２が内筒５１の外に覆うよう配設される。伸縮筒５がトップ層１とボトム層２との間に接続されるように、内筒５１の上端はトップ層１に接続され、外筒５２の下端はボトム層２に接続され、スプリング３及びソフトネス調整ユニット４は伸縮筒５内に設けられ、伸縮筒５によってスプリング３及びソフトネス調整ユニット４を支持及び位置決めすることができる。内筒５１及び外筒５２に開口(未図示)が設けられてもよく、エアバッグ４１が不用意に爆発する時であれば、ガスが順調に放気される。
【００１８】
本実施例においては、内筒５１の下端には第１の位置決め部５３が設けられてもよく、第１の位置決め部５３が内筒５１の外壁から突出し、外筒５２の上端には第２の位置決め部５４が設けられてもよく、第２の位置決め部５４が外筒５２の内壁から突出し、内筒５１及び外筒５２がプリセットの長さに伸びる場合に、第１の位置決め部５３及び第２の位置決め部５４が互いに当接していてもよく、これによって、係止位置決めする機能を提供する。
【００１９】
本発明は前記ソフトネス調整ユニット４によって当接前記スプリング３を伸縮することができ、前記ソフトネス調整ユニット４が伸びる場合に(図５に示されるように)、前記スプリング３の長さを短くして、前記スプリング３の弾性を小さくして、対向するスプリング入りマットレスを硬くするように、前記スプリング３を圧縮することができる。前記ソフトネス調整ユニット４が短くなる場合に(図４に示されるように)、前記スプリング３の長さを長くして、前記スプリング３の弾性を多くして、対向するスプリング入りマットレスを柔らかくするように、前記スプリング３の圧力を解放することができる。
【００２０】
又、前記ソフトネス調整ユニット４は、制御ユニット９に接続され、前記ソフトネス調整ユニット４は制御ユニット９(図７に示されるように)によって設定制御されることができ、前記制御ユニット９はＩＣ基板を含む制御回路であり、前記制御ユニット９によって前記ソフトネス調整ユニット４をスプリング入りマットレスのソフトネスを調整するように制御するためのものである。
【００２１】
又、前記ソフトネス調整ユニット４は、それぞれ、異なるソフトネスに調整してもよく、例えば、ダブルベッドに適用される場合に、スプリング入りマットレスの左半部及び右半部に位置するソフトネス調整ユニット４は、異なるソフトネスに調整でき、同じスプリング入りマットレスが二つ又は複数の硬度を有することができる。
【００２２】
又、本発明のスプリング入りマットレスには、必要に応じて複数のマッサージ器(未図示)が取り付けられてもよく、前記マッサージ器は、制御ユニット９によって制御されることができ、マッサージの型式及び時間を設定することができる。例えば、時間になると、マッサージ器を振動するように自動的に起動し、睡眠中の使用者を姿勢を調整して血液循環をよくするように提示する。
【００２３】
又、図２及び図３に示されるように、本発明のスプリング入りマットレス部分の床体は、角度を調整可能な設計を採用してもよく、前記スプリング入りマットレスは、可動部６を有し、前記可動部６は、前記トップ層１と前記ボトム層２との間に位置し、前記可動部６は需要に応じて異なる立ち上がり角度に調整することができる。前記可動部６は駆動装置７に接続され、前記駆動装置７はエアシリンダー、油圧シリンダー又はモータスクリュー等であり、前記駆動装置７によって可動部６を付勢し、前記可動部６が異なる立ち上がり角度に調整するようにする。
【００２４】
［第２の実施例］
図６を参照する。本発明の第２の実施例であり、本実施例においては、前記ソフトネス調整ユニット４は、それぞれ前記スプリング３の上方に設けられ、前記スプリング３の下端は、それぞれ前記ボトム層２に当接し、前記ソフトネス調整ユニット４の下端は、それぞれ前記スプリング３の上端に当接し、前記ソフトネス調整ユニット４の上端は、それぞれトップ層１に当接する。本実施例は、前記ソフトネス調整ユニット４によって前記スプリング３に伸縮して当接し、前記スプリング３の長さを短くするか長くして、使用者の異なる需要に応じてスプリング入りマットレスのソフトネスを調整することができる。
【００２５】
本発明の特長及び機能は、以下のことにある。
【００２６】
本発明は、前記ソフトネス調整ユニットによって前記スプリングに伸縮して当接し、前記ソフトネス調整ユニットが伸びる場合に、前記スプリングの弾性を小さくして、対向するスプリング入りマットレスが硬くなるように、前記スプリングを圧縮することができる。前記ソフトネス調整ユニットが短くなる場合に、前記スプリングの弾性を多くして、対向するスプリング入りマットレスを柔らかくするように、前記スプリングの圧力を解放することができる。従って、本発明使用者の異なる需要に応じてスプリング入りマットレスのソフトネスを容易に調整することができ、スプリング入りマットレスが好ましい適用性を有する。
【００２７】
上述したのは本発明の好ましい実施例に過ぎず、本発明の特許請求の範囲を限定しようとするものではなく、本発明の明細書及び添付図に基づき為された均等の変形は、全て本発明の特許請求の範囲に属するものとする。
【符号の説明】
【００２８】
１    トップ層
２    ボトム層
２１    収納空間
３    スプリング
４    ソフトネス調整ユニット
４１    エアバッグ
５    伸縮筒
５１    内筒
５２    外筒
５３    第１の位置決め部
５４    第２の位置決め部
６    可動部
７    駆動装置
８    エアポンプ
９    制御ユニット
【図１】
2020089625.tif 000003
【図２】
2020089625.tif 000004
【図３】
2020089625.tif 000005
【図４】
2020089625.tif 000006
【図５】
2020089625.tif 000007
【図６】
2020089625.tif 000008
【図７】
2020089625.tif 000009
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
トップ層と、
前記トップ層との間に収納空間を形成するように、前記トップ層の下方に前記トップ層と間隔を置いて設けられるボトム層と、
前記トップ層と前記ボトム層との間に位置するように前記収納空間内に設けられると共に、互いに間隔を置いて設けられ、それぞれの一端が前記トップ層又は前記ボトム層に当接する複数のスプリングと、
前記トップ層と前記ボトム層との間に位置するように前記収納空間内に設けられると共に、互いに間隔を置いて設けられ、前記スプリングの弾性を調整するためにそれぞれが前記スプリングに当接される複数のソフトネス調整ユニットと、を含み、
互いに当接している前記スプリングと前記ソフトネス調整ユニットとの外部に、伸縮筒が覆うように配設され、
前記伸縮筒は、上端が前記トップ層に接続される内筒と、前記内筒の外を覆うよう配設されて下端が前記ボトム層に接続される外筒とを含む、
ことを特徴とする、ソフトネスが調整可能なスプリング入りマットレス。
【請求項２】
前記複数のソフトネス調整ユニットは、エアバッグを含み、
前記複数のソフトネス調整ユニットは、前記複数のソフトネス調整ユニットに対して充気及び放気の操作を行うエアポンプに接続されることを特徴とする、請求項１に記載のソフトネスが調整可能なスプリング入りマットレス。
【請求項３】
前記複数のソフトネス調整ユニットは、制御ユニットに接続され前記制御ユニットを介して充気及び放気の操作を行うことができることを特徴とする、請求項２に記載のソフトネスが調整可能なスプリング入りマットレス。
【請求項４】
前記複数のスプリングは、全て又は部分的に前記ソフトネス調整ユニットと対応するように設けられることを特徴とする、請求項１に記載のソフトネスが調整可能なスプリング入りマットレス。
【請求項５】
前記複数のソフトネス調整ユニットの一端は、前記複数のスプリングの他端にそれぞれ当接し、前記複数のソフトネス調整ユニットの他端は、前記ボトム層又は前記トップ層に当接することを特徴とする、請求項１に記載のソフトネスが調整可能なスプリング入りマットレス。
【請求項６】
前記内筒の下端に、前記内筒の外壁から突出している第１の位置決め部が設けられ、前記外筒の上端に、前記外筒の内壁から突出している第２の位置決め部が設けられ、前記内筒及び前記外筒がプリセットの長さまでに伸びる場合に、前記第１の位置決め部と前記第２の位置決め部とが互いに当接していることを特徴とする、請求項１に記載のソフトネスが調整可能なスプリング入りマットレス。
【請求項７】
前記トップ層と前記ボトム層との間に位置し、駆動装置に接続される可動部を更に含み、
前記可動部は、前記駆動装置によって異なる立ち上がり角度に調整するように付勢されることを特徴とする、請求項１に記載のソフトネスが調整可能なスプリング入りマットレス。
【請求項８】
前記複数のソフトネス調整ユニットは、それぞれ前記複数のスプリングの下方又は上方に接続されることを特徴とする、請求項１に記載のソフトネスが調整可能なスプリング入りマットレス。